(57)【特許請求の範囲】
【請求項１】
ＩＣカードを搬送する搬送手段を有し、前記ＩＣカードが搬送路内を前記搬送手段によって搬送されるよう構成されてなるＩＣカードリーダライタであって、
前記ＩＣカードが載置され、当該ＩＣカードと共に移動するよう構成されてなるスライドプレートと、
前記ＩＣカードとの信号の授受のための接点を有し、前記スライドプレートの所定区間の移動と共に移動するよう構成されてなるコネクタ保持部材とが、前記搬送路を挟んで相対するように設けられ、
前記スライドプレートの近傍には、前記スライドプレートの移動を案内するスライドプレートガイド手段が、
前記コネクタ保持部材の近傍には、前記コネクタ保持部材の移動を案内するコネクタガイド手段が、それぞれ設けられ、
前記スライドプレートは、前記ＩＣカードの挿入口方向に、第１の戻しばねにより常時戻し力を受け、前記ＩＣカードの挿入前の初期状態においては、第１の初期位置に引き戻される一方、前記ＩＣカードの先頭部分が当接されるカード当接部が設けられ、
前記コネクタ保持部材は、前記ＩＣカードの挿入口方向に、第２の戻しばねにより常時戻し力を受け、前記ＩＣカードの挿入前の初期状態においては、第２の初期位置に引き戻される一方、前記カード当接部が当接するスライドプレート当接部が設けられ、
前記スライドプレートガイド手段は、前記スライドプレートを、その第１の初期位置から前記ＩＣカードの挿入方向に向かって第１の所定区間の間、水平状態に維持する一方、前記第１の所定区間以降は、前記ＩＣカードの挿入方向に向かうに従い下降せしめ、
前記コネクタガイド手段は、前記コネクタ保持部材を、その第２の初期位置から前記ＩＣカードの挿入方向に向かって第２の所定区間の間、前記ＩＣカードの挿入方向に向かうに従い下降せしめ、前記第２の所定区間に続く第３の所定区間の間、水平状態に維持せしめ、
前記スライドプレート当接部は、前記カード当接部に前記ＩＣカードの先頭部分が当接され、前記搬送手段により前記ＩＣカードが前記スライドプレートと共に前記ＩＣカードの挿入方向へ搬送開始された後、前記第１の所定区間の適宜な位置で、前記カード当接部と当接するような位置に設けられると共に、前記ＩＣカードの挿入方向と逆方向に回動可能に構成されてなり、
前記スライドプレートが前記ＩＣカードの搬送に伴い前記ＩＣカードの挿入方向へ進み、前記第１の所定区間を越えると、前記カード当接部と前記スライドプレート当接部とは、前記スライドプレートの下降開始と共に相互の当接部分が減少するようにして除々に離間してゆき、前記カード当接部が前記スライドプレート当接部から完全に離間した際、前記コネクタ保持部材は前記第２の初期位置へ引き戻され、
前記ＩＣカードの挿入方向への搬送の継続による前記スライドプレートのさらなる下降により前記カード当接部が前記搬送路の下側に位置し、前記ＩＣカードが所定の位置から排出された後に、前記スライドプレートは、前記第１の初期位置へ引き戻されるよう構成されてなることを特徴とするＩＣカードリーダライタ。
【請求項２】
ＩＣカードを搬送する搬送手段を有し、前記ＩＣカードが搬送路内を前記搬送手段によって搬送されるよう構成されてなるＩＣカードリーダライタであって、
前記ＩＣカードが載置され、当該ＩＣカードと共に移動するよう構成されてなるスライドプレートと、
前記ＩＣカードとの信号の授受のための接点を有し、前記スライドプレートの所定区間の移動と共に移動するよう構成されてなるコネクタ保持部材とが、前記搬送路を挟んで相対するように設けられ、
前記スライドプレートの側部には、前記搬送路の長手軸方向に沿って、当該スライドプレートの移動を案内するスライドプレートガイドが設けられ、
前記コネクタ保持部材の側部には、前記搬送路の長手軸方向に沿って、当該コネクタ保持部材の移動を案内するコネクタガイドが設けられ、
前記スライドプレートは、前記ＩＣカードの挿入口方向に、第１の戻しばねにより常時戻し力を受け、前記ＩＣカードの挿入前の初期状態においては、第１の初期位置に引き戻される一方、前記ＩＣカードの先頭部分が当接されるカード当接部が設けられると共に、側縁部分には、前記スライドプレートガイドの方向へ突出形成されたスライドプレート突起が設けられ、
前記コネクタ保持部材は、前記ＩＣカードの挿入口方向に、第２の戻しばねにより常時戻し力を受け、前記ＩＣカードの挿入前の初期状態においては、第２の初期位置に引き戻される一方、前記カード当接部が当接するスライドプレート当接部が設けられると共に、側縁部分には、前記コネクタガイドの方向へ突出形成されたガイド突起が設けられ、
前記スライドプレートガイドには、前記スライドプレート突起が係合されるプレートガイド係合部が設けられ、当該プレートガイド係合部は、前記スライドプレートを、その第１の初期位置から前記ＩＣカードの挿入方向に向かって第１の所定区間の間、水平状態に維持する一方、前記第１の所定区間以降は、前記ＩＣカードの挿入方向に向かうに従い下降せしめるように形成されてなり、
前記コネクタガイドには、前記ガイド突起が係合されるコネクタガイド係合部が設けられ、当該コネクタガイド係合部は、前記コネクタ保持部材を、その第２の初期位置から前記ＩＣカードの挿入方向に向かって第２の所定区間の間、前記ＩＣカードの挿入方向に向かうに従い下降せしめ、前記第２の所定区間に続く第３の所定区間の間、水平状態に維持せしめるよう形成されてなり、
前記スライドプレート当接部は、前記カード当接部に前記ＩＣカードの先頭部分が当接され、前記搬送手段により前記ＩＣカードが前記スライドプレートと共に前記ＩＣカードの挿入方向へ搬送開始された後、前記第１の所定区間の適宜な位置で、前記カード当接部と当接するような位置に設けられると共に、前記ＩＣカードの挿入方向と逆方向に回動可能に構成されてなり、
前記スライドプレートが前記ＩＣカードの搬送に伴い前記ＩＣカードの挿入方向へ進み、前記第１の所定区間を越えると、前記カード当接部と前記スライドプレート当接部とは、前記スライドプレートの下降開始と共に相互の当接部分が減少するようにして除々に離間してゆき、前記カード当接部が前記スライドプレート当接部から完全に離間した際、前記コネクタ保持部材は前記第２の初期位置へ引き戻され、
前記ＩＣカードの挿入方向への搬送の継続による前記スライドプレートのさらなる下降により前記カード当接部が前記搬送路の下側に位置し、前記ＩＣカードが所定の位置から排出された後に、前記スライドプレートは、前記第１の初期位置へ引き戻されるよう構成されてなることを特徴とするＩＣカードリーダライタ。
【請求項３】
コネクタ保持部材が第３の所定区間内に位置する場合、接点はＩＣカードに接触可能に位置すると共に、スライドプレート当接部の端部は、搬送路と所定間隙を介して相対するよう設けられてなることを特徴とする請求項１又は請求項２記載のＩＣカードリーダライタ。
【請求項４】
搬送手段は、ＩＣカードの挿入位置近傍において、搬送路を挟んで第１の駆動プーリと第１の従動ローラとがそれぞれ軸支されて設けられ、前記ＩＣカードの排出位置近傍において、前記搬送路を挟んで第２の駆動プーリと第２の従動ローラとがそれぞれ軸支されて設けられ、
前記第１の駆動プーリと第２の駆動プーリには、カード搬送用ベルトが掛け渡され、
前記第１の駆動プーリがモータにより回動可能に設けられてなることを特徴とする請求項１、請求項２又は請求項３記載のＩＣカードリーダライタ。
【請求項５】
第１の駆動プーリの中心には駆動軸が取着され、当該第１の駆動プーリと反対側の前記駆動軸の端部において、ウォームギアを介してモータの回動が伝達されるよう構成されてなることを特徴とする請求項４記載のＩＣカードリーダライタ。
【請求項６】
ウォームギアを構成するウォームは、駆動軸より大径のウォーム形成用円柱部材の外周面に形成されてなり、当該ウォーム形成用円柱部材のの軸方向の中心には前記駆動軸が遊嵌される遊嵌穴が形成されて、前記駆動軸が遊嵌され、
前記ウォーム形成用円柱部材には、その周方向で所定の間隔を隔てて少なくとも１つのウォーム側係止突起が前記駆動軸の軸方向に突設され、
前記駆動軸の外周面には、その周方向で所定の間隔を隔てて少なくとも１つの駆動軸側係止突起が、前記駆動軸の端部が前記遊嵌穴に遊嵌せしめられた状態において、前記ウォーム側係止突起が突設された前記ウォーム形成用円柱部材の端面の近傍に位置するように前記駆動軸の軸方向の適宜な位置に突設されてなり、前記駆動軸が所定角度の範囲で回動自在に構成されてなることを特徴とする請求項５記載のＩＣカードリーダライタ。
【発明の詳細な説明】
【０００１】
【発明の属する技術分野】
本発明は、いわゆるＩＣカードのリーダライタに係り、特に、挿入されたＩＣカードを必要に応じて装置内へ取り込む機能を有するものに関する。
【０００２】
【従来の技術】
いわゆるＩＣカードは、種々の情報の読み書きが電気的に可能なカードとして、近年様々な場面で利用されている。
そして、かかるＩＣカードからの情報の読み取りや情報の書き込みを行うためのものとしてＩＣカードリーダライタがあり、様々な形態のものが提案されている（特公平４−３８０３１号公報等参照）。
【０００３】
【発明が解決しようとする課題】
ところで、近年ＩＣカードの利用の普及と共に、ＩＣカードリーダライタにおいて、いわゆる不正使用に対する方策を講ずることが必要とされてきている。
すなわち、その最も確実な方策としては、従来のＩＣカードリーダライタが、ＩＣカードを取り込んでＩＣカードとの信号の授受を終えた後は、挿入口へＩＣカードが戻されるよう構成されたものであるのに対して、ＩＣカードとの信号の授受によって、ＩＣカードが不正使用されているものであると判断された場合には、ＩＣカードリーダライタが設けられた装置内へ、そのＩＣカードを回収するような機能が確実であり、昨今のＩＣカードリーダライタには、そのような機能が求められている。
また、例えば、特公平４−３８０３１等に示されたような従来のＩＣカードリーダライタにおいては、ＩＣカードが、ＩＣカードリーダライタの筐体内の固定された平面状の部位を移動するために、ＩＣカードに摺動による傷が付きやすく、特に、近年、ＩＣカードの利用者によるＩＣカードの美観に対する意識の変化等により、極力傷がなく見た目の良いものが求められており、ＩＣカードリーダライタによりＩＣカードへ傷を付けるようなことがないような工夫が必要とされつつある。
【０００４】
本発明は、上記実情に鑑みてなされたもので、ＩＣカードを挿入側へ返却することなく装置内へ回収することのできるＩＣカードリーダライタを提供するものである。
本発明の他の目的は、ＩＣカードを極力傷つけることなく処理することができるＩＣカードリーダライタを提供することにある。
【０００５】
【課題を解決するための手段】
上記発明の目的を達成するため、本発明に係るＩＣカードリーダライタは、
ＩＣカードを搬送する搬送手段を有し、前記ＩＣカードが搬送路内を前記搬送手段によって搬送されるよう構成されてなるＩＣカードリーダライタであって、前記ＩＣカードが載置され、当該ＩＣカードと共に移動するよう構成されてなるスライドプレートと、
前記ＩＣカードとの信号の授受のための接点を有し、前記スライドプレートの所定区間の移動と共に移動するよう構成されてなるコネクタ保持部材とが、前記搬送路を挟んで相対するように設けられ、
前記スライドプレートの近傍には、前記スライドプレートの移動を案内するスライドプレートガイド手段が、
前記コネクタ保持部材の近傍には、前記コネクタ保持部材の移動を案内するコネクタガイド手段が、それぞれ設けられ、
前記スライドプレートは、前記ＩＣカードの挿入口方向に、第１の戻しばねにより常時戻し力を受け、前記ＩＣカードの挿入前の初期状態においては、第１の初期位置に引き戻される一方、前記ＩＣカードの先頭部分が当接されるカード当接部が設けられ、
前記コネクタ保持部材は、前記ＩＣカードの挿入口方向に、第２の戻しばねにより常時戻し力を受け、前記ＩＣカードの挿入前の初期状態においては、第２の初期位置に引き戻される一方、前記カード当接部が当接するスライドプレート当接部が設けられ、
前記スライドプレートガイド手段は、前記スライドプレートを、その第１の初期位置から前記ＩＣカードの挿入方向に向かって第１の所定区間の間、水平状態に維持する一方、前記第１の所定区間以降は、前記ＩＣカードの挿入方向に向かうに従い下降せしめ、
前記コネクタガイド手段は、前記コネクタ保持部材を、その第２の初期位置から前記ＩＣカードの挿入方向に向かって第２の所定区間の間、前記ＩＣカードの挿入方向に向かうに従い下降せしめ、前記第２の所定区間に続く第３の所定区間の間、水平状態に維持せしめ、
前記スライドプレート当接部は、前記カード当接部に前記ＩＣカードの先頭部分が当接され、前記搬送手段により前記ＩＣカードが前記スライドプレートと共に前記ＩＣカードの挿入方向へ搬送開始された後、前記第１の所定区間の適宜な位置で、前記カード当接部と当接するような位置に設けられると共に、前記ＩＣカードの挿入方向と逆方向に回動可能に構成されてなり、
前記スライドプレートが前記ＩＣカードの搬送に伴い前記ＩＣカードの挿入方向へ進み、前記第１の所定区間を越えると、前記カード当接部と前記スライドプレート当接部とは、前記スライドプレートの下降開始と共に相互の当接部分が減少するようにして除々に離間してゆき、前記カード当接部が前記スライドプレート当接部から完全に離間した際、前記コネクタ保持部材は前記第２の初期位置へ引き戻され、
前記ＩＣカードの挿入方向への搬送の継続による前記スライドプレートのさらなる下降により前記カード当接部が前記搬送路の下側に位置し、前記ＩＣカードが所定の位置から排出された後に、前記スライドプレートは、前記第１の初期位置へ引き戻されるよう構成されてなるものである。
【０００６】
かかる構成においては、ＩＣカードは、スライドプレートとコネクタ保持部材とに挟持されたような状態で、スライドプレートは、スライドプレートガイド手段の案内により、コネクタ保持部材は、コネクタガイド手段の案内により、共に移動できるように構成され、しかも、ＩＣカードをＩＣカードリーダライタのカード排出口から排出できるように、スライドプレートが所定の位置を越えてＩＣカードリーダライタの奥へ進む場合には、スライドプレートは、スライドプレートガイド手段により、コネクタ保持部材と徐々に離間して、搬送路の下面側に下降するように構成されているので、ＩＣカードをカード排出口へ搬送することができ、従来と異なり、ＩＣカードと共にスライドプレートも移動するので、ＩＣカードの移動によりＩＣカードへ傷を付けることのないＩＣカードリーダライタを提供することができるものである。
【０００７】
【発明の実施の形態】
以下、本発明の実施の形態について、図１乃至図７を参照しつつ説明する。
なお、以下に説明する部材、配置等は本発明を限定するものではなく、本発明の趣旨の範囲内で種々改変することができるものである。
最初に、この発明の実施の形態におけるＩＣカードリーダライタの構成について、図１乃至図４を参照しつつ説明する。
図１及び図２には、主にこのＩＣカードリーダライタの機構的な構成が示されており、モータ１６の動作を制御するためのモータ制御回路及びＩＣカードとの通信を行うＩＣカード読み取り制御回路については、図示を省略してある。
まず、ＩＣカードリーダライタの筐体１は、その外形形状がやや扁平の略直方体をなすもので、後述する搬送路５が形成される方向に長手軸を有するものとなっており、その一方の端部において、カード挿入口２が、また、他方の端部においてカード排出口３がそれぞれ設けられたものとなっている（図２参照）。
そして、筐体１内部において、カード挿入口２側からカード排出口３へ延び、後述するようにスライドプレート２１とコネクタ保持部材２７によって挟まれるようにしてＩＣカード４が搬送される空間は、搬送路５となっている（図２参照）。
【０００８】
また、筐体１内部の一方の側部近傍であって、かつ、カード挿入口２の近傍においては、第１の駆動プーリ６と第１の従動ローラ８が、搬送路５を挟んで、その上側に、第１の駆動プーリ６が、搬送路５の下側に、第１の従動ローラ８が、それぞれの外周面が相対するようにして設けられている（図１及び図２参照）。
第１の駆動プーリ６は、その中心で、棒状部材からなる第１の駆動軸１０により軸支されており、この第１の駆動軸１０の両端は、それぞれ筐体１の側部に形成された軸穴１４ａ，１４ｂに遊嵌されて回動自在となっており、また、第１の駆動軸１０の所定の部位は、後述するようにウォーム形成用円柱部材１８に形成された遊嵌穴１８ａに遊嵌されるようになっている（図１参照）。
第１の従動ローラ８は、その中心で棒状部材からなる第１の従動軸１２により軸支されており、この第１の従動軸１２の両端は、それぞれ筐体１に形成された凹溝４０に遊嵌されると共に板ばね４１で保持されて回動自在となっている（図２参照）。
【０００９】
一方、カード排出口３の近傍であって、上述のように第１の駆動プーリ６及び第１の従動ローラ８が配設された筐体１内部の側部近傍においても、同様に搬送路５を挟んで、搬送路５の上側に第２の駆動プーリ７が、搬送路５の下側に第２の従動ローラ９が、それぞれの外周面が相対するように配設されている。
第２の駆動プーリ７は、その中心で、棒状部材からなる第２の駆動軸１１により軸支されており、その両端は、筐体１のそれぞれの側壁に、それ自体では回動自在となるようにして係止されたものとなっている。
また、第２の従動ローラ９も同様に、その中心で棒状部材からなる第２の従動軸１３により軸支されており、この第２の従動軸１３の両端は、それぞれ筐体１に形成された凹溝４０に遊嵌されると共に板ばね４１で保持されて回動自在となている（図２参照）。
【００１０】
そして、第１の駆動プーリ６と第２の駆動プーリ７には、例えば、ゴム等の比較的弾力性、可撓性のある部材からなるカード搬送用ベルト１５が掛け渡されており、第１の駆動プーリ６の回動が第２の駆動プーリ７に伝達されるようになっている。
ＩＣカード４が、カード挿入口２からＩＣカードリーダライタ内へ挿入されると、その先頭部分の一方の側部が第１の駆動プーリ６及びカード搬送用ベルト１５と、第１の従動ローラ８との間に挟まれるようになっている。その状態において、第１の駆動軸１０がモータ１６により回動されて、例えば、図２において、第１の駆動軸１０を中心に右回り方向（以下、この回転状態を便宜的に「正回転」と言う）に回動する場合には、第１の駆動プーリ６及びカード搬送用ベルト１５と第１の従動ローラ８とにより、ＩＣカード４は、さらにＩＣカードリーダライタ内部へ搬送されるようになっている。
【００１１】
第１の駆動軸１０は、第２の駆動軸１１と同様に、その両端部は、筐体１のそれぞれの側壁に、それ自体では回動自在となるように係止されている。また、この発明の実施の形態における第１の駆動軸１０は、後述するウォーム形成用円柱部材１８に遊嵌される被遊嵌部１０ａと、それから先の部位（第１の駆動プーリ６が取着される側と反対側）である軸端係止部１０ｂとの径が異なって形成されており、この例では、被遊嵌部１０ａの径が、軸端係止部１０ｂの径より大となっている（図１及び図３参照）。
一方、筐体１の他方の側部近傍には、モータ１６が設けられ、このモータ１６の回動力を伝達するためのウォームギア１７がモータ１６と第１の駆動軸１０との間に設けられている（図１参照）。
すなわち、モータ１６の回動軸には、ウォーム１７ａが取着される一方、このウォーム１７ａには、ウォーム形成用円柱部材１８に形成されたウォームホイール１７ｂが螺合されている。なお、モータ１６が減速機構付きモータである場合には、ウォームギア１７に代えて傘歯車を用いてモータの駆動力を第１の駆動軸１０へ伝達するようにしてもよい。
【００１２】
ウォーム形成用円柱部材１８は、第１の駆動軸１０の被遊嵌部１０ａより大径の円柱状の部材を用いてなり、その一方の端部においては、第１の駆動軸１０の被遊嵌部１０ａが遊嵌できるよう円筒状に遊嵌穴１８ａが形成されている（図３参照）。
すなわち、モータ１６には、ウォーム１７ａが取着される一方、このウォーム１７ａには、ウォーム形成用円柱部材１８に形成されたウォームホイール１７ｂが螺合されている。
【００１３】
また、この遊嵌穴１８ａが形成された側のウォーム形成用円柱部材１８の端面には、その周方向でほぼ１８０度離れて、２つのウォーム側係止突起１９ａ，１９ｂがそれぞれ、軸方向に突設されたものとなっている（図３参照）。なお、この発明の実施の形態においては、ウォーム形成用円柱部材１８の一部が軸方向に延設されて先のウォーム側係止突起１９ａ，１９ｂがそれぞれ形成されたものとなっているが、必ずしも一体的である必要はなく、ウォーム形成用円柱部材１８と別体に設けられてもよいものである。
さらに、ウォーム形成用円柱部材１８の他方の端部、すなわち、ウォーム側係止突起１９ａ，１９ｂが設けられた側と反対側の端部からは、第１の駆動軸１０の軸端係止部１０ｂが貫通できるようになっており、その端部が、先に述べたように、筐体１の他方の側壁に係止されたものとなっている。
【００１４】
一方、第１の駆動軸１０の被遊嵌部１０ａの外周面には、その周方向で１８０度離れて、２つの駆動軸側係止突起２０ａ，２０ｂが外方へ突設されている（図３参照）。そして、この駆動軸側係止突起２０ａ，２０ｂの第１の駆動軸１０の軸方向における位置は、被遊嵌部１０ａがウォーム形成用円柱部材１８の遊嵌穴１８ａに遊嵌されて、かつ、第１の駆動軸１０の両端が筐体１に係止された状態（換言すれば、使用状態）において、２つのウォーム側係止突起１９ａ，１９ｂが形成されたウォーム形成用円柱部材１８の端面近傍に位置するように設定されたものとなっている。したがって、使用状態においては、２つの駆動軸側係止突起２０ａ，２０ｂと、２つのウォーム側係止突起１９ａ，１９ｂは、第１の駆動軸１０の周方向（又はウォーム形成用円柱部材１８の周方向）で、交互に位置する状態となり、第１の駆動軸１０は、２つのウォーム側係止突起１９ａ，１９ｂの間で回動自在となっている（図４参照）。換言すれば、第１の駆動軸１０は、周方向で２つのウォーム側係止突起１９ａ，１９ｂがなす角度θの範囲で回動自在となっている。
なお、この構成例においては、ウォーム側係止突起１９ａ，１９ｂと駆動軸側係止突起２０ａ，２０ｂは、それぞれ２つ設けるようにしたが、必ずしも２つづつ設ける必要はなく、それぞれ１つづつ設けるような構成であってもよいものである。
【００１５】
スライドプレート２１は、平板状の部材からなり、カード挿入口２の近傍で、かつ、その側縁部分がカード搬送用ベルト１５と平行するように、しかも、搬送路５の直下に位置するように設けられているもので（図１及び図２参照参照）、後述するスライドプレートガイド２５ａ，２５ｂにより、搬送路５の長手軸方向（カード搬送用ベルト１５が掛け渡されている方向）に沿って移動可能となっている。さらに、スライドプレート２１には、コイル状に形成されてなる第１の戻しばね２２の一端が係止され、この第１の戻しばね２２の他端は、カード挿入口２側により近い筐体１の適宜な部位に係止されている。そのため、スライドプレート２１は、このＩＣカードリーダライタの動作が停止されている状態にあっては、第１の戻しばね２２の戻し力を受け、所定の位置、すなわち、第１の初期位置に位置するようになっている。なお、この発明の実施の形態においては、スライドプレート２１の下面（搬送路５に臨む面と反対側の面）側の適宜な部位に、第１の戻しばね２２の一端が係止されたものとなっている（図２参照）。
【００１６】
また、このスライドプレート２１の先頭部分（カード挿入口２側と反対側の部位）には、矩形状に形成されてなるカード当接部２３が搬送路５の上側に突き出るように突設されている（図２参照）。このカード当接部２３は、ＩＣカード４がＩＣカードリーダライタ内部に挿入された際に、ＩＣカード４の先頭部分が丁度当接されるものとなっている。
またさらに、スライドプレート２１の両側部（搬送路５に沿う方向、換言すれば、カード搬送用ベルト１５が掛け渡された方向に沿う側部）においては、スライドプレート２１の先頭部分近傍と、後端部（カード挿入口２側の端部近傍の部分）近傍のそれぞれの側縁部において、スライドプレート突起２４ａ〜２４ｄが脇へ突出するように設けられている（図１及び図２参照）。
【００１７】
そして、このスライドプレート突起２４ａ〜２４ｄは、スライドプレート２１の両側部の直近に設けられたスライドプレートガイド２５ａ，２５ｂのプレートガイド係合部としてのプレートガイド溝２６ａ，２６ｂに遊嵌されるようになっている。
すなわち、スライドプレートガイド２５ａ，２５ｂは、スライドプレート２１の両側部に近接して、筐体１の底部１ａに対して垂直方向に設けられたものとなっている。なお、この発明の実施の形態においては、筐体１内の一部分に凹部１ｂが形成されており、この凹部１ｂの両側面（カード搬送用ベルト１５が掛け渡された方向の面）がスライドプレートガイド２５ａ，２５ｂとされている（図１参照）。
また、このスライドプレートガイド２５ａ，２５ｂには、所定の形状のプレートガイド溝２６ａ，２６ｂが形成されている（図２においては、一方のプレートガイド溝２６ａが示されている）。すなわち、プレートガイド溝２６ａ，２６ｂは、カード挿入口２側からカード排出口３方向へ向かって（換言すれば、ＩＣカード４の挿入方向へ向かって）、第１の所定の長さ水平に形成される（第１の所定区間）と共に、さらに、第１の所定区間の終点（カード排出口３側の位置）から、下方向に傾斜して直線状に形成されたものとなっている（図２参照）。
【００１８】
したがって、スライドプレート２１は、スライドプレート突起２４ａ〜２４ｄがプレートガイド溝２６ａ，２６ｂに遊嵌されて案内されるため、第１の初期位置からカード排出口３へ向かって、第１の所定区間の間は、水平状態に移動可能となっており、さらに、第１の所定区間以降は、カード排出口３へ向かうに従って（換言すればＩＣカード４の挿入方向に向かうに従って）除々に、その先頭部分から下降するようになり、最終的には、カード当接部２３が搬送路５の下面側に位置するまで下降可能となっている。
なお、スライドプレートガイド２５ａ，２５ｂは、この発明の実施の形態のように筐体１と一体に形成されても、また、別体に設けられたものでもいずれでもよく、さらに、平板状の部材を用いて筐体１の底部に対して直交するように設けてもよいものである。
【００１９】
搬送路５を挟んでスライドプレート２１と対向する位置には、コネクタ保持部材２７が、後述するコネクタガイド３３ａ，３３ｂにより搬送路５に沿って移動可能なように設けられている（図１参照）。コネクタ保持部材２７は、その外形平面形状（図１に示されたようにＩＣリーダライタを上面側から見た場合に平面図として現れる形状）は、ほぼ矩形状に形成されてなるもので、その下面側、すなわち、搬送路５に臨む側には、後述するように、コネクタ保持部材２７が所定の位置にある場合に、ＩＣカード４の所定の接触部分（図示せず）と接触する複数の導電性部材からなる接点２７ａが設けられているものである。そして、この接点２７ａを介してＩＣカード４と、図示されないＩＣカード４との信号の授受のための回路との間で、信号の授受が可能なように構成されている（図２参照）。
【００２０】
このコネクタ保持部材２７のカード挿入口２側の適宜な部位には、コイル状に形成されてなる第２の戻しばね２８の一端が係止されており、第２の戻しばね２８の他端は、カード挿入口２により近い筐体１の適宜な部位に係止されている（図１及び図２参照）。そして、コネクタ保持部材２７は、このＩＣカードリーダライタの動作が停止されている状態にあっては、第２の戻しばね２８による戻し力を受け、所定の位置、すなわち、第２の初期位置に位置するようになっている（図１及び図２参照）。
また、コネクタ保持部材２７の先頭部分の適宜な部位には、スライドプレート当接部２９が搬送路５側へ突設されている（図２参照）。この発明の実施の形態におけるスライドプレート当接部２９は、板状の部材を矩形に形成してなり、厚み方向（図２においてカード搬送用ベルト１５が掛け渡された方向）に比して、垂直方向（図２において搬送路５に対して直交する方向）に長く形成されてなるものである。そして、スライドプレート当接部２９は、その垂直方向の一端において、両端がコネクタ保持部材２７に係止された回動軸３０により軸支されており、さらに、この回動軸３０には、例えば、ねじりばね（図示せず）が挿着されて、そのばね力により、カード挿入口２方向へのみ回動可能に設けられたものとなっている（図２参照）。
しかも、スライドプレート当接部２９の長手軸方向の長さは、後述するようにコネクタ保持部材２７が、コネクタガイド３３ａ，３３ｂのコネクタガイド溝３４ａ〜３４ｄにおける第３の所定区間にある場合において、挿入されたＩＣカード４の表面との間に間隙３１を生じ、この間隙３１を介して搬送路５と相対するように設定されたものとなっている（図５参照）。なお、図５において、「ΔＬ」の表記は、間隙３１の距離を示し、「ｄ」の表記は、ＩＣカード４の厚みを示している。
【００２１】
また、このスライドプレート当接部２９が設けられる位置は、コネクタ保持部材２７が第２の初期位置にあり、かつ、先のスライドプレート２１が第１の初期位置にある状態において、搬送路５に沿った方向で、先のカード当接部２３よりもカード排出口３へやや近く、しかも、先のプレートガイド溝２６ａ，２６ｂの第１の所定区間内に位置するように設定されている（図２参照）。そして、後述するように、スライドプレート２１が挿入されたＩＣカード４と共に移動を開始した後、スライドプレート２１のカード当接部２３がこのスライドプレート当接部２９に当接して、コネクタ保持部材２７をカード排出口３方向へ移動せしめるようになっている。
【００２２】
さらにまた、コネクタ保持部材２７の両側部（搬送路５に沿う方向、換言すれば、カード搬送用ベルト１５が掛け渡された方向に沿う側部）においては、コネクタ保持部材２７の先頭部分近傍と、後端部（カード挿入口２側の部位）近傍のそれぞれにおいて、ガイド突起３２ａ〜３２ｄが脇へ突出するように設けられている（図１及び図２参照）。
そして、このガイド突起３２ａ〜３２ｄは、コネクタ保持部材２７の両側部の直近に設けられたコネクタガイド３３ａ，３３ｂのコネクタガイド係合部としてのコネクタガイド溝３４ａ〜３４ｄに遊嵌されるようになっている。
【００２３】
すなわち、コネクタガイド３３ａ，３３ｂは、平板状部材を用いてなり、コネクタ保持部材２７の両側部に近接して、図１において言えば紙面表裏方向に設けられたものとなっている。また、このコネクタガイド３３ａ，３３ｂには、所定の形状のコネクタガイド溝３４ａ〜３４ｄｂが、それぞれ先のガイド突起３２ａ〜３２ｄに対応するように形成されている（図２においては、一方のコネクタガイド３３ａに形成されたコネクタガイド溝３４ａ，３４ｃが示されている）。
コネクタガイド溝３４ａ〜３４ｄは、カード挿入口２側からカード排出口３方向へ向かって（換言すればＩＣカード４の挿入方向へ向かって）、第２の初期位置から第２の所定区間は、コネクタ保持部材２７が除々に下降するように略円弧状に形成され、その後、第３の所定の長さ水平に形成されて（第３の所定区間）、コネクタ保持部材２７が水平状態となるように構成されたものとなっている（図２参照）。
なお、図２においては、コネクタガイド３３ａ，３３ｂが中に浮いている如くに見受けられるが、コネクタ保持部材２７等との位置関係等を理解し易くするためこのように表されており、この発明の実施の形態においては、次述するような構成となっている。すなわち、搬送路５の直ぐ上側には、筐体１と一体形成されてなる平板状の中板部材３５が、搬送路５と平行するように設けられている（図１参照）。なお、図２においては、この中板部材３５は現れていない。
【００２４】
コネクタガイド３３ａ，３３ｂは、この中板部材３５に対して垂直に、搬送路５が位置する部位と反対方向へ延びるように設けられているものである（図２参照）。そして、２つのコネクタガイド３３ａ，３３ｂの間に位置する中板部材３５の部位は、矩形状に開口部３６が穿設されており、先のコネクタ保持部材２７が搬送路５に臨むことができるようになっている。また、この発明の実施の形態においては、搬送路５の長手軸方向に沿う中板部材３５の長さは、筐体１のその方向での長さに比して短くなっており、第２の駆動プーリ７の手前までとなっている（図１参照）。
【００２５】
したがって、コネクタ保持部材２７は、ガイド突起３２ａ〜３２ｄがコネクタガイド溝３４ａ〜３４ｄに遊嵌されて、案内されるため、第２の初期位置からカード排出口３へ向かって、第２の所定区間の間は、カード排出口３へ向かうに従い下降するようになっており、さらに、この第２の所定区間に続く第３の所定区間の間、水平状態に移動可能となっている。
なお、コネクタガイド３３ａ，３３ｂは、この発明の実施の形態のように筐体１と一体に形成されても、また、別体に設けられたものでもいずれでもよいものである。
【００２６】
なお、この発明の実施の形態における中板部材３５には、カード挿入口２近傍からカード排出口３近傍へ向かって、ＩＣカード４が通過する位置に対応する箇所に、矩形状に比較的小さく形成された第１乃至第３のカードセンサ用光透過穴３７ａ〜３７ｃが穿設されており、また、これら第１乃至第３のカードセンサ用光透過穴３７ａ〜３７ｃが配設された延長線上で、カード排出口３の近傍の適宜な位置には、第４のカードセンサ用光透過穴３７ｄが同様に穿設されている（図１参照）。この第１乃至第４のカードセンサ用光透過穴３７ａ〜３７ｄを挟んで、その上下には、それぞれ例えばいわゆるフォトカプラ（図示せず）が配設されるようになっている。すなわち、フォトカプラは、発光素子と受光素子（図示せず）とから構成されてなるもので、発光素子（図示せず）からの光が第１乃至第４のカードセンサ用光透過穴３７ａ〜３７ｄを介してフォトカプラを構成する受光素子で受光されるように設けられており、このフォトカプラが設けられた箇所をＩＣカード４が通過して発光素子からの光が遮断されることによる受光素子の出力信号の変化によってＩＣカード４の通過が検出できるようにしてある。このフォトカプラによるＩＣカード４の通過の有無は、後述するようにモータ１６の駆動制御に用いられるモータ制御回路（図示せず）によってなされるようになっており、その検出結果に基づいてモータ１６の駆動制御がなされるようになっている。なお、このモータ制御回路は、例えば、筐体１内に収納されるものであるが、図１及び図２においては、その図示が省略されている。
また、この構成例においては、スライドプレートガイド２５ａ，２５ｂ及びスライドプレート突起２４ａ〜２４ｄによりスライドプレートガイド手段が、コネクタガイド３３ａ，３３ｂ及びガイド突起３２ａ，３２ｂによりコネクタガイド手段が、それぞれ実現されたものとなっている。
【００２７】
次に、上記構成における動作について、図２、図６及び図７を参照しつつ説明する。
まず、使用者がＩＣカード４をカード挿入口２からＩＣカードリーダライタ内へ挿入し、その挿入が第１のカードセンサ用光透過穴３７ａの上下（図１において紙面表裏方向）に設けられているフォトカプラ（図示せず）によって検出されると、モータ制御回路（図示せず）によって、モータ１６の駆動が開始され、モータ１６は、カード搬送用ベルト１５の搬送路５に臨む部位が、図２で言えば、カード挿入口２側からカード排出口３側へ送られる方向（換言すれば、図２において、第１の駆動軸１０が時計回り方向へ回動されるような方向）に回転するよう駆動されることとなる（以後、このモータ１６の回転状態を「正転状態」と言う）。このモータ１６が正転状態とされることにより、第１の駆動軸１０は、時計回り方向に回転し始め、同時にカード搬送用ベルト１５の搬送路５に臨む部位がカード挿入口２側からカード排出口３方向へ移動し始めることとなる。
【００２８】
そして、使用者がＩＣカード４をさらに挿入し、ＩＣカード４のカード搬送用ベルト１５側の側部を、第１の駆動プーリ６及びカード搬送用ベルト１５と、第１の従動ローラ８との間にくわえさせるようにすると、ＩＣカード４は、搬送力を受けて、カード排出口３方向へ移動し始め、ＩＣカード４の先頭部分は、カード当接部２３に当接することとなり、その当接後、ＩＣカード４と共にスライドプレート２１がカード排出口３方向へ移動されることとなる。
すなわち、スライドプレート２１には、プレートガイド溝２６ａ，２６ｂに遊嵌されたスライドプレート突起２４ａ〜２４ｄが設けられているため、スライドプレート２１は、ＩＣカード４の移動と共に、プレートガイド溝２６ａ，２６ｂの案内によって移動することとなる。そして、プレートガイド溝２６ａ，２６ｂは、カード当接部２３がコネクタ保持部材２７のスライドプレート当接部２９に当接し、さらに若干の距離移動した箇所までは、水平に形成されているため（図６（Ａ）参照）、この時点では、スライドプレート２１は、ＩＣカード４と共に水平に移動することとなる。
【００２９】
スライドプレート２１がさらに移動すると、カード当接部２３がスライドプレート当接部２９に当接し、スライドプレート２１の移動がコネクタ保持部材２７に伝達されることとなる。そして、コネクタ保持部材２７には、コネクタガイド溝３４ａ〜３４ｄに遊嵌されたガイド突起３２ａ〜３２ｄが設けられているため、スライドプレート２１の移動と共に、第２の戻しばね２８による戻し力に抗して、コネクタ保持部材２７は、コネクタガイド溝３４ａ〜３４ｄの案内に沿って移動を開始することとなる（図６（Ｂ）参照）。
コネクタガイド溝３４ａ〜３４ｄは、コネクタ保持部材２７が第２の初期位置にある箇所からカード挿入方向へ向かって若干の間（第２の所定区間）、下に凸となるような円弧状に形成されており、その第２の所定区間に続く所定長の第３の所定区間、コネクタガイド溝３４ａ〜３４ｄは、水平に形成されたものとなっているため、まず、最初の円弧状の部分により、移動と共に、除々に搬送路５側へ下降してゆき、第３の所定区間に入ったところで、下降は停止することとなる。このコネクタ保持部材２７の下降が停止した位置において、コネクタ保持部材２７に設けられた複数の接点２７ａが、ＩＣカード４に形成された接点２７ａとの接触部分（図示せず）に接触するようになっている。
【００３０】
このＩＣカード４の移動と共に、スライドプレート２１及びコネクタ保持部材２７がカード排出口３方向へ共に水平に移動されて、スライドプレート２１の先頭部分がプレートガイド溝２６ａ，２６ｂの第１の所定区間から、これに続く下降部分（カード排出口３へ向かうに従いスライドプレート２１が下降するように斜め直線状に形成された部分）に入る手前の適宜な位置に設けられた第３のカードセンサ用光透過穴３７ｃの上下（図１において紙面表裏方向）に設けられているフォトカプラ（図示せず）によって、ＩＣカード４の通過が検出されると、モータ制御回路（図示せず）によって、モータ１６の駆動が一旦停止されることとなる。
モータ１６の駆動が停止されると、外部に設けられた図示されないＩＣカード読み取り制御回路によって、接点２７ａを介してＩＣカード４との通信処理が開始され、相互に種々のデータの授受がなされると共に、ＩＣカード４がいわゆる不正使用のものであるか否かの判定が行われる。
【００３１】
不正使用か否かの判定により、不正使用であると判定された場合には、ＩＣカード読み取り制御回路（図示せず）からの制御信号によって、モータ制御回路（図示せず）がモータ１６を正転状態とすることとなる。
これによって、ＩＣカード４は、カード搬送用ベルト１５によりカード排出口３方向へ搬送力を受けるため、ＩＣカード４と共に、スライドプレート２１及びコネクタ保持部材２７が再びカード排出口３方向へ移動することとなる。
スライドプレート２１は、その先頭部分のスライドプレート突起２４ａ，２４ｂが、この再度の移動開始によって第１の所定区間から、その後に続くプレートガイド溝２６ａ，２６ｂの斜め直線部分に入ることとなる。そのため、スライドプレート２１は、ＩＣカード４の移動に伴い先頭部分が搬送路５から離反して下方向へ除々に下降してゆくこととなる（図７（Ａ）参照）。
このスライドプレート２１の下降により、カード当接部２３は、スライドプレート当接部２９との当接部分が除々に小さくなるようにしてスライドプレート当接部２９から除々に離間してゆくこととなる。
【００３２】
そして、コネクタ保持部材２７の先頭側（カード排出口３側）のガイド突起３２ａ，３２ｂが第３の所定区間の終点（カード排出口３に近い部位）の直前付近で、カード当接部２３がスライドプレート当接部２９から完全に離間した状態となるようになっている。スライドプレート当接部２９がカード当接部２３から完全に離間すると、コネクタ保持部材２７には、第２の戻しばね２８による戻し力に抗する力がなくなるため、コネクタ保持部材２７は、第２の戻しばね２８による戻し力によりカード挿入口２側へ引き戻されて、第２の初期位置に戻ることとなる。ここで、コネクタ保持部材２７のスライドプレート当接部２９の端部は、カード当接部２３と離間して第２の初期位置へ戻る際、ＩＣカード４の表面を擦ることがないように、ＩＣカード４の表面との間に微少な間隙３１が生ずるように、その長さが設定されているため（図５参照）、ＩＣカード４の表面がスライドプレート当接部２９の端部によって傷つけられることがない。
【００３３】
一方、ＩＣカード４とスライドプレート２１は、さらにカード排出口３方向へ移動されることとなるが、スライドプレート２１は、プレートガイド溝２６ａ，２６ｂの斜め直線部分の案内により、その先頭部分がさらに下降してゆき、カード当接部２３が搬送路５の下面側に位置することとなる（図７（Ａ）参照）。
そして、カード当接部２３が搬送路５の下面側へ位置することで、ＩＣカード４を介してのカード搬送用ベルト１５による搬送力は、スライドプレート２１へ伝達されなくなり、スライドプレート２１の移動が停止する一方、ＩＣカード４は、依然としてカード排出口３方向へ搬送されることとなる。なお、スライドプレート２１は、ＩＣカード４が上面側に位置するために、この時点では、未だ、第１の戻しばね２２による戻し力により第１の初期位置へ戻ることはできない状態である。
【００３４】
ＩＣカード４の搬送が進み、後端部分（カード挿入口２側の端部）が第１の駆動プーリ６及びカード搬送用ベルト１５と第１の従動ローラ８との間から抜け出たところで、丁度、ＩＣカード４の先頭部分が、第２の駆動プーリ７及びカード搬送用ベルト１５と第２の従動ローラ９との間に挟まれるようになっており（図７（Ａ）参照）、ＩＣカード４は、それによってさらに搬送され、ついには、カード排出口３からＩＣカードリーダの外部（ＩＣカードリーダが組み込まれる装置内）へ排出されることとなる（図７（Ｂ）参照）。
【００３５】
この場合、モータ１６は、第４のカードセンサ用光透過穴３７ｄの上下（図１において紙面表裏方向）に設けられているフォトカプラ（図示せず）によって、ＩＣカード４の後端部の通過が検出されると、モータ制御回路（図示せず）によって、その駆動が停止されることとなる。
そして、ＩＣカード４の排出がなされると、スライドプレート２１の第１の初期位置への戻りの障害となるＩＣカード４が無くなるため、スライドプレート２１は、第１の戻しばね２２により第１の初期位置へ戻ることとなる（図７（Ｂ）参照）。ここで、スライドプレート２１が第１の初期位置へ戻る途中、カード当接部２３がスライドプレート当接部２９に当接するが、スライドプレート当接部２９は、先に説明したように、カード挿入口２方向への回動が可能となっているため、カード当接部２３がスライドプレート当接部２９に当接しても、スライドプレート当接部２９は、カード挿入口２方向へ回動し、スライドプレート２１は、スライドプレート当接部２９によりその移動が阻止されることなく第１の初期位置に戻ることとなる（図７（Ｂ）参照）。そして、スライドプレート当接部２９は、カード当接部２３が通過した後、図示されないねじりばねの作用によって、元の位置に復帰することとなる。
【００３６】
なお、ＩＣカード４をカード排出口３へ送る場合、上述の例では、第４のカードセンサ用光透過穴３７ｄの上下（図１において紙面表裏方向）に設けられているフォトカプラ（図示せず）によって、ＩＣカード４の後端部（カード挿入口２側の端部）の通過が検出されることで、モータ１６の駆動を停止するようにしたが、必ずしもこのような構成である必要はない。例えば、ＩＣカード４が第２の駆動プーリ７及びカード搬送用ベルト１５と第２の従動ローラ９との間を通過するに十分な時間、モータ１６を正転方向へ駆動するようないわば時間制御を行うようにしてもよい。
【００３７】
一方、先に述べた第３のカードセンサ用光透過穴３７ｃの上下（図１において紙面表裏方向）に設けられているフォトカプラ（図示せず）によりＩＣカード４の搬送が一旦停止され、ＩＣカード４との通信が行われ、ＩＣカード４がいわゆる不正使用のものではないと判定された場合には、必要な通信がなされた後は、次述するようにして、ＩＣカード４は、再びカード挿入口２から使用者へ戻されることとなる。
【００３８】
まず、ＩＣカード４がＩＣカード読み取り制御回路（図示せず）により不正使用のものでないと判定され、必要なＩＣカード４との通信が終了すると、ＩＣカード読み取り制御回路からモータ制御回路（図示せず）へ対してモータ駆動開始のための所定の信号が出力されるようになっている。そして、モータ１６は、モータ制御回路により、ＩＣカード４がカード挿入口２方向へ搬送される方向に駆動（逆転状態）されることとなる。すなわち、カード搬送用ベルト１５の搬送路５に臨む部位が、図２で言えば、カード挿入口２方向へ送られるようモータ１６が駆動され、ＩＣカード４は、これによりカード挿入口２へ戻されることとなる。そして、第２のカードセンサ用光透過穴３７ｂの上下（図１において紙面表裏方向）に設けられているフォトカプラ（図示せず）によって、ＩＣカード４の先端部（カード排出口３側の端部）の通過が検出されると、モータ制御回路（図示せず）によって、その駆動が停止されることとなる。
【００３９】
ここで、ＩＣカード４がカード挿入口２まで搬送されても、ＩＣカード４のカード搬送用ベルト１５側の側部の一部が、第１の駆動プーリ６及びカード搬送用ベルト１５と、第１の従動ローラ８との間に挟まれた状態であるため、ＩＣカード４は、外へ飛び出すことはない。
使用者は、モータ１６が停止した後、カード挿入口２から外部へ一部露出されているＩＣカード４を掴んで引き抜くことができる。これは、既に述べたように、第１の駆動軸１０の一部の部位が、ウォーム形成用円柱部材１８に形成された遊嵌穴１８ａに遊嵌されて、周方向で所定の範囲の回動が可能となっており、ＩＣカード４のカード搬送用ベルト１５側の側部の一部が、第１の駆動プーリ６及びカード搬送用ベルト１５と、第１の従動ローラ８との間に挟まれた状態であって、第１の駆動プーリ６が第１の駆動軸１０と共に回動でき、それによって、カード搬送用ベルト１５も移動できるようになっているためである。
【００４０】
なお、ＩＣカード４をカード挿入口２へ戻す場合、上述の例では、第２のカードセンサ用光透過穴３７ｂの上下（図１において紙面表裏方向）に設けられているフォトカプラ（図示せず）によって、ＩＣカード４の先端部（カード排出口３側の端部）の通過が検出されることで、モータ１６の駆動を制御するようにしたが、必ずしもこのような構成である必要はない。例えば、ＩＣカード４が不正使用のものではないと判定され、ＩＣカード４との必要な通信が終了したと判定された時点から、モータ１６を所定時間だけ、逆転方向へ駆動するようないわば時間制御を行うようにしてもよい。すなわち、ここで、所定時間は、ＩＣカード４がカード挿入口２へ戻されるに適した時間であり、モータ１６の回転速度を考慮して、シュミレーションや実験等によって予め定められるものである。なお、この場合、ＩＣカード４の飛び出しを防止するために、カード排出口３の付近に、例えば、ＩＣカード４の表面側から裏面側へ、又はＩＣカード４の一方の側面側から他方側へＩＣカード４を押しつけるような板ばね等の部材を設けるようにすると好適である。
【００４１】
また、上述の例においては、ＩＣカード４を搬送するために、第１及び第２の駆動プーリ６，７、第１及び第２の従動ローラ８，９、カード搬送用ベルト１５を用いたが、必ずしもこのようなものである必要はない。例えば、第１及び第２の駆動プーリ６，７の代わりに、ゴム等の比較的弾力性のある部材からなるローラ（図示せず）を、それぞれ第１の駆動ローラ、第２の駆動ローラとして用い、さらに、図１及び図２に二点鎖線で示されたように第１及び第２の駆動軸１０，１１の一端を筐体１の外側へ延設し、その端部に、それぞれプーリ３８ａ，３８ｂを取着すると共に、このプーリ３８ａ，３８ｂに駆動用ベルト３９を掛け渡すような構成としてもよい。
そして、この場合、第１の駆動ローラ及び第１の従動ローラ８と、第２の駆動ローラ及び第２の従動ローラ９との間隔は、第１の駆動ローラ及び第１の従動ローラ８との間を、ＩＣカード４の後端部が通過する際、ＩＣカード４の先頭部分が、第２の駆動ローラ及び第２の従動ローラ９とに挟まれるように設定すると好適である。
【００４２】
【発明の効果】
以上、述べたように、本発明によれば、ＩＣカードリーダライタ内で、ＩＣカードの裏面側が位置する部位を移動可能として、しかも、必要に応じて、搬送路の下面側に下降できるように構成したので、ＩＣカードの裏面側に傷を付けることがなく、しかも、ＩＣカードの回収が必要な場合には、カード排出口へＩＣカードを搬送することができ、ＩＣカードを確実に回収することができるという効果を奏するものである。
【図面の簡単な説明】
【図１】本発明の実施の形態におけるＩＣカードリーダライタの平面図である。
【図２】本発明の実施の形態におけるＩＣカードリーダライタの縦断面図である
【図３】第１の駆動軸へのウォームの取り付け状態を示す分解斜視図である。
【図４】第１の駆動軸の回動の様子を説明する説明図である。
【図５】スライドプレート当接部とＩＣカードとの間隙の状態示す説明図である。
【図６】ＩＣカードの搬送状態を説明する模式図であって、図６（Ａ）は、ＩＣカード挿入時における状態を示す模式図、図６（Ｂ）は、通信状態の位置を示す模式図である。
【図７】ＩＣカードの搬送状態を説明する模式図であって、図７（Ａ）は、ＩＣカードがカード排出口から回収される場合を示す模式図、図７（Ｂ）は、ＩＣカードがカード排出口から排出された際の状態を示す模式図である。
【符号の説明】
２…カード挿入口
３…カード排出口
５…搬送路
２１…スライドプレート
２３…カード当接部
２５ａ，２５ｂ…スライドプレートガイド
２６ａ，２６ｂ…プレートガイド溝
２７…コネクタ保持部材
２７ａ…接点
２９…スライドプレート当接部
３３ａ，３３ｂ…コネクタガイド
３４ａ〜３４ｄ…コネクタガイド溝
【図１】
0003797841.tif 000002
【図２】
0003797841.tif 000003
【図３】
0003797841.tif 000004
【図４】
0003797841.tif 000005
【図５】
0003797841.tif 000006
【図６】
0003797841.tif 000007
【図７】
0003797841.tif 000008